(57)【要約】【課題】取っ手装置を提供する。【解決手段】取っ手装置は少なくとも１個の取っ手を具備し、この取っ手は使用位置から停止位置へ揺動可能に、少なくとも１個の自在軸受（１）を介して固定部材（２）に連結されている。この自在軸受は、取っ手をすべての揺動位置で保持する保持力を発生するばね要素（３４）を備えている。ばね要素（３４）に少なくとも１個の締付け要素（３５、３７）が作用し、取っ手を揺動させるときに保持力を変更するために締付け要素がばね要素（３４）と相対的に調節可能である。取っ手は上側と下側の取っ手部分（４、６）を備え、この取っ手部分は高さ方向において少なくとも一部が互いにずれている。下側取っ手部分（６）は高さ方向と高さ方向に対して横方向に見て、上側取っ手部分（４）に対してそれぞれ鋭角をなしている。取っ手装置は特に病院等における障害のある人や世話の必要な人のために適している。【選択図】図８
2008212687.tif 000002
【特許請求の範囲】
【請求項１】
少なくとも１個の取っ手を具備し、この取っ手が使用位置から停止位置へ揺動可能に、少なくとも１個の自在軸受（１）を介して固定部材（２）に連結され、この自在軸受が、上記取っ手をすべての揺動位置で保持する保持力を発生する少なくとも１個のばね要素（３４）を備えている、取っ手装置において、
上記ばね要素（３４）に少なくとも１個の締付け要素（３５、３７）が作用し、取っ手を揺動させるときに上記保持力を変更するために上記締付け要素がばね要素（３４）と相対的に調節可能であることを特徴とする取っ手装置。
【請求項２】
上記締付け要素（３５、３７）が上記自在軸受（１）にて相対回転しないように配置されていることを特徴とする請求項１に記載の取っ手装置。
【請求項３】
上記締付け要素（３５、３７）が有利には上記ばね要素（３４）を貫通するねじ付きピン（３７）を備え、このねじ付きピンが取っ手に連結されたスリーブ（１８）にねじ込まれていることを特徴とする請求項１または２に記載の取っ手装置。
【請求項４】
上記ばね要素（３４）が皿ばねセットによって形成されていることを特徴とする請求項１〜３のいずれか一項に記載の取っ手装置。
【請求項５】
上記ねじ付きピン（３７）にナット（３５）が装着され、このナットが有利には上記ばね要素（３４）に接触し、当該ばね要素が好ましくは押圧リング（３２）に接触していることを特徴とする請求項３または４に記載の取っ手装置。
【請求項６】
上記押圧リング（３２）が上記自在軸受（１）にて相対回転しないように保持されていることと、有利には上記ねじ付きピン（３７）が上記押圧リング（３２）によって回転しないように保持され、当該押圧リングが好ましくは上記ねじ付きピン（３７）に装着され、押圧リングの突起（４０）が上記ねじ付きピン（３７）の外面の凹部（４１）に係合していることを特徴とする請求項５に記載の取っ手装置。
【請求項７】
少なくとも１個の取っ手を具備し、この取っ手が上側と下側の取っ手部分（４、６）を備え、これら取っ手部分が高さ方向にて少なくともその長さの一部にわたって互いにずれている、取っ手装置において、
下側取っ手部分（６）が高さ方向に見て、上側取っ手部分（４）に対して鋭角（α）をなしていることを特徴とする取っ手装置。
【請求項８】
下側取っ手部分（６）が高さ方向に対して横方向に見て、上側取っ手部分（４）に対して鋭角（β）をなしていることと、有利には両取っ手部分（４、６）が互いに一体に形成され、かつ好ましくは湾曲部分（５）を介して互いに接続されていることを特徴とする請求項７に記載の取っ手装置。
【請求項９】
上側取っ手（４）が真っ直ぐに延在していることを特徴とする請求項７または８に記載の取っ手装置。
【請求項１０】
少なくとも１個の取っ手を備え、この取っ手が固定板（２）に揺動可能に支承されている、取っ手装置において、
固定板（２）にアダプタプレート（５５、５８、６３、６８、７１、７４）が付設され、固定板（２）がこのアダプタプレートにねじ止め可能であることを特徴とする取っ手装置。
【請求項１１】
アダプタプレート（５５、６８）が少なくとも１個の位置決め接合部（５６、６９）を備え、この位置決め接合部が固定板（２）の位置決め接合部（５７、７０）と協働していることと、有利にはアダプタプレート（５５）と固定板（２）の位置決め接合部（５６、５７）がアダプタプレート（５５）と固定板（２）の底面に対して直角に設けられたショルダ面であることを特徴とする請求項１０に記載の取っ手装置。
【請求項１２】
アダプタプレート（６８）と固定板（２）の位置決め接合部（６９、７０）がアダプタプレート（６８）と固定板（２）の底面に対して鋭角に設けられたショルダ面であることを特徴とする請求項１１に記載の取っ手装置。
【請求項１３】
アダプタプレート（６３）が少なくとも１つのキー穴状の穴（６５）を有し、固定板（２）に設けられた少なくとも１個の差込み要素（６６）が上記キー穴状の穴に差込み可能であることを特徴とする請求項１０に記載の取っ手装置。
【請求項１４】
アダプタプレート（５８）が周方向に延びる隆起したエッジ（５９）を備え、このエッジが固定板（２）を取り囲んでいることを特徴とする請求項１０に記載の取っ手装置。
【請求項１５】
アダプタプレート（７４）がそれぞれ斜めに延在する上側と下側のエッジ（７５、７６）を備え、このエッジが固定板（２）の凹部（７７）に係合し、固定板が有利には、その底（８０）に対して鋭角をなしかつアダプタプレート（７４）の上側エッジ（７５）に接触する側壁（７８）、および／またはその底（８０）に対して直角をなす側壁（７９）を備え、この側壁（７９）に少なくとも１本のねじ付きピン（８１）が支承され、このねじ付きピンがアダプタプレート（７４）の曲げられた下側のエッジ（７６）に締付け押圧可能であることを特徴とする請求項１０に記載の取っ手装置。
【発明の詳細な説明】
【技術分野】
【０００１】
本発明は、請求項１または７または１０の前提部分（所謂おいて部分；プリアンブル部分）に記載した取っ手装置に関する。
【背景技術】
【０００２】
取っ手がほぼＵ字形の湾曲部材として形成された取っ手装置が知られている。この取っ手は高さ方向に互いにずれている上側の取っ手部分と下側の取っ手部分を備えている。両取っ手部分は互いに平行に延在している。取っ手は自在軸受（ロッカーピボット）を介して固定板に連結されている。自在軸受にはばね要素が設けられている。このばね要素は、取っ手をあらゆる揺動位置で落下しないように保持するよう調節されている。この取っ手が主として障害者または世話の必要な人のためのものであるので、取っ手を水平な使用位置から停止位置（非使用位置）へ上方に揺動させることは、これらの人には往々にして困難である。というのは、上方への揺動の際に、これらの人が常にばね力に打ち勝たなければならないからである。さらに、取っ手の両部分が互いに平行であるので、患者は取っ手で十分に支えることができない。
【発明の開示】
【発明が解決しようとする課題】
【０００３】
本発明の根底をなす技術的課題は、簡単でかつそれにもかかわらず確実な操作が保証されるように、冒頭に述べた取っ手装置を形成することである。
【課題を解決するための手段】
【０００４】
この課題は冒頭に述べた取っ手装置において本発明に従い、請求項１または７または１０に記載の特徴によって解決される。
【０００５】
請求項１記載の本発明による取っ手装置の場合、揺動時に取っ手に作用する保持力が締付け装置によって変化する。使用位置から停止位置へ取っ手を上方に揺動させる際に、ばね要素によって加えられる保持力が小さくなるように、締付け要素が調節されている。それによって、障害の大きい人や世話の必要な人も、取っ手を問題なく上方へ揺動させることができる。取っ手の揺動時に締付け要素がばね要素と相対的に移動するので、移行方向に応じてばね力を簡単に増大または低下させることができる。
【０００６】
請求項１記載の取っ手装置は、保持力によってすべての揺動位置に保持される揺動部材を備えたすべての装置である。その一例は折畳み式シャワー座席である。その座席部分は水平使用位置から上方へ停止位置まで揺動可能である。座席部分は取っ手のようにすべての揺動位置で、ばね要素によって生じる保持力によって保持されるので、座席部分は落下不可能である。
【０００７】
請求項７記載の取っ手装置の場合、下側取っ手部分は上側取っ手部分に対してもはや平行に配置されないで、鋭角をなしている。一般的に２個の取っ手装置が例えば便器の隣に配置されているので、上側取っ手部分に対して下側取っ手部分を鋭角に配置すると、両取っ手装置の間の使用者の運動空間が取っ手の自由端の方へ拡げられる。それによって、下方へ揺動した取っ手装置の取っ手の間で、使用者にとって最適な運動自由度が保証される。
【０００８】
請求項１０記載の取っ手装置の場合には、例えば壁を化粧塗りするときまたは初めて壁を築くときに、アダプタプレートが予め取付けられる。そして、取っ手と共に取っ手装置全体を固定する必要がないので、新築または修理のこの段階で取っ手装置が損傷する危険がない。壁の作業が終了すると、取っ手装置は固定板によって、予め取付けたアダプタプレートに固定可能である。アダプタプレートの使用は特に、例えば老人ホーム、病院等の複数の室または部屋に、アダプタプレートが取っ手装置の接続部材として取付け可能であるという利点がある。すべての部屋に取っ手を設ける必要はない。取っ手を持って来て、固定プレートによってそれぞれの部屋でそこに設けられたアダプタプレートに接続することができる。１つの部屋内で複数のアダプタプレートを異なる個所に設けることができるので、その都度必要な個所に取っ手を迅速に接続することができる。
【０００９】
本発明の他の特徴は、他の請求項、明細書および図面から明らかである。
図に示した若干の実施の形態に基づいて本発明を詳しく説明する。
【発明を実施するための最良の形態】
【００１０】
次に説明する取っ手装置は特に、病院、老人ホーム、社会福祉施設等において障害のある人または世話の必要な人のために使用される。取っ手装置は支え取っ手を備えている。次に、図１〜４に基づいてこの支え取っ手を詳しく説明する。支え取っ手は自在軸受１を介して固定板２に連結されている。支え取っ手はこの固定板によって壁等に固定可能である。固定板２はねじ、ボルト等を通過させるための穴３を備えている。このねじ、ボルト等によって固定板２を壁に取付け可能である。支え取っ手は使用位置において上側の脚部４を備えている。この上側脚部は自在軸受１から真っ直ぐに延在し、ほぼＵ字形に曲げた管の一部によって形成されている。脚部４は揺動軸受１とは反対側の端部で、湾曲部分５を介して使用位置で下側の脚部６に接続している。この脚部６は湾曲部分５と同様に、湾曲した管の一部である。脚部６は脚部４の約３分の２の長さにわたって延在し、傾斜区間７を経て端区間８に接続している。両脚部４、６は垂直方向と水平方向において互いにずれている。下側の脚部６の端区間８だけが上側脚部４と同じ垂直平面内にある。図１から分かるように、支え取っ手を上から見たときに、下側脚部６は上側脚部４に対して小さな鋭角αをなしている。この角度は例えば約３〜６°である。従って、上から見たときに、脚部４、６は湾曲部分５から広がっている。角度αは水平面に投影して測定される。
【００１１】
両脚部４、６は湾曲部分を経て互いに接続させる必要はない。接続部分は例えば真っ直ぐに延びていてもよい。さらに、図９〜１４に示すように、上側脚部の自由端から離れているスペーサを介して、脚部４、６を互いに連結することができる。
【００１２】
図２から分かるように、水平方向に見て脚部６は上側脚部４に対して同様に鋭角βをなしている。それによって、脚部６は湾曲部分５から固定板２の方へ斜め下方に傾斜配置されている。支え取っ手の脚部６が脚部４に対して垂直方向にも水平方向にも傾斜して延在しているので、支え取っ手の使用者にとって重要な利点が生じる。図５、６に基づいてこの利点を説明する。図５、６は支え取っ手の典型的な用途を示している。支え取っ手は便器９の両側において、その時々の使用者が容易に掴むことができるような高さ位置にある。両支え取っ手は、下側脚部６が付属の上側脚部４から支え取っ手相互の方へ突出するように、固定板２によって壁１０に固定されている。垂直方向に見て下側脚部６が上側脚部４に対してなす上記の鋭角αに基づいて、便座９の使用者のために支え取っ手の間の範囲にある運動空間１２の幅１１が拡大する。従って、使用者が便座から立ち上がるときに、支え取っ手は水平方向に延在しているにもかかわらず、使用者に悪影響を及ぼさないかまたは邪魔にならない。さらに、脚部６が角度βで湾曲部分５の方へ上り勾配になるように形成されているので、患者は、便座９から立ち上がるときまたは便座に腰を降ろすときに、その手で確実に掴まることができる。患者から見て、下側脚部６が湾曲部分５の方へ上り勾配になるように延在しているので、患者はその両手で下側脚部６に確実に支持および保持可能である。上側脚部４が垂直方向において下側脚部６に対して外側にずらして配置されているので、使用者は、手で下側脚部６を掴むときに、その前腕によって上側脚部４上で付加的に支えることができる。高さ方向における脚部４、６の間隔は、患者がその腕で最適に支えることができるように選定されている。
【００１３】
上側脚部４の自由端は弓形揺動部材１３に軸承されている。この弓形揺動部材は自在軸受１によって固定板２に揺動可能に軸承されている。下側脚部６の端区間８は弓形揺動部材１３（図１）の下端１４に固定されている。脚部６とは反対の弓形揺動部材１３の側には、緩衝部材８２が固定されている。この緩衝部材は支え取っ手の水平使用位置において固定板２に接触している。支え取っ手は水平使用位置から図４において点線で示す停止位置へ、自在軸受１の軸線回りに上方へ揺動可能である。
【００１４】
支え取っ手は垂直な停止位置において落下しないように保持されている。停止位置と使用位置の間のすべての中間位置においても、支え取っ手は下方に揺動しないように保持されている。支え取っ手は使用者自身によってその都度の位置へ揺動させることが可能である。そのために設けられた装置について、図７、８に基づいて説明する。この装置はすべての種類の折畳み要素に適している。すなわち、支え取っ手だけでなく、例えば折畳み式シャワー座席等にも適している。簡単化するために、図８には、図１〜４と同じ支え取っ手が示してある。
【００１５】
２個の軸受１５、１６が互いに間隔をおいて固定板２に固定されている。この軸受は同一に形成されている。両軸受１５、１６の間には、弓形揺動部材１３の軸受環１７が係合している。軸受環１７をブッシュ１８が貫通している。このブッシュは軸受環１７の内壁に接触し、軸受１５、１６から突出している。ブッシュ１８はその外面に、Ｖ字状断面の環状溝１９を有する。軸受環１７はその壁を貫通するねじ穴２０を有する。このねじ穴はねじ付きピン２１を収容している。ねじ付きピンの先細端部はブッシュ１８の環状溝１９内に達している。これにより、軸受環１７は相対回転しないようにブッシュ１８に連結されている。
【００１６】
環状溝１９の代わりに、ねじ付きピン２１のための平坦部または凹部をブッシュ１８に設けることができる。ねじ付きピンは平坦部に接触するかまたは凹部に係合する。これにより、ブッシュ１８は相対回転しないように軸受環１７に連結される。
【００１７】
ブッシュ１８は両軸受１５および１６内に少しだけ挿入されている。軸受１５、１６に挿入されたブッシュ１８の端部には、それぞれ１個のリング２２、２３が装着されている。両リング２２、２３は外周に、軸方向に延在するリブ２４、２５を備えている。このリブは軸受１５、１６の内壁に設けられた溝２６、２７に係合している。溝２６、２７は軸受１５、１６の軸方向長さにわたって延在している。軸受１５、１６が固定板２に固定されているので、リング２２、２３は上記の形状かみ合い連結によって、回転しないように保持されている。リング２２はブッシュ１８から軸方向に突出している。
【００１８】
弓形揺動部材１３の軸受環１７は、両側の側面に、それぞれ１つの凹部を有する。この凹部内にはそれぞれ１つの環状スライドディスク２８、２９が設けられている。スライドディスク２８、２９にはリング２２、２３が接触している。
【００１９】
スライドディスク２８、２９は間隔をおいてシールリング３０、３１によって取り囲まれている。このシールリングは軸受環１７の側面の環状溝に挿入されている。シールリングは軸受１５、１６に対して軸受環１７をシールしている。
【００２０】
スライドディスク２８とは反対のリング２２の側に、座金３２が接触している。この座金は外周に、軸方向に延在する突起３３を備えている（図８）。座金３２のこの突起は軸受１６の軸方向溝２６に係合している。それによって、座金３２は回転しないように保持さている。ナット３５が少なくとも１個の圧縮ばね３４を介在して軸方向間隔をおいて座金３２に向き合っている。本実施の形態では、２個の皿ばね３４が座金３２とナット３５の間に設けられている。このナットはねじ付きピン３７の先細の端区間３６にねじ込まれている。ねじ付きピンはブッシュ１８にねじ込まれている。ブッシュはその長さの一部にわたってめねじ３８を有する。ナット３５はねじ付きピン３７の端区間３６にねじ込まれたロックナット３９によって保持されている。
【００２１】
座金３２はその内壁に、その厚さを越えて突出する突起４０を備えている。この突起はねじ付きピン３７の端区間３６の外面に設けられた軸方向に延在する凹部４１に係合している。
【００２２】
軸受１５、１６の互いに離れた端部に、それぞれ１個の被覆キャップ４２、４３が差し込まれている。それによって、自在軸受の一部が汚れないようにおよび／または損傷しないように保護されている。
【００２３】
すべての揺動位置で支え取っ手が確実に保持されるように、ばね力がナット３５によって調節される。両皿ばね３４は座金３２を介してリング２２を、支え取っ手に連結された軸受環１７のスライドディスク２８に押し付ける。ナット３５によってばね力を簡単かつ正確に調節可能である。ばね力が常に軸受環１７に作用するので、支え取っ手を水平な使用位置から垂直な停止位置の方へ揺動させる際に、いかなるときでも、支え取っ手がその水平使用位置に不意に落下して戻ることがない。
【００２４】
支え取っ手が水平使用位置から垂直停止位置の方へ揺動すると、ブッシュ１８は同様にその軸線回りに回転する。というのは、ブッシュが軸受環１７に相対回転しないように連結されているからである。自在軸受１の残りの部分は回転しないように上記のごとく保持されている。ねじ付きピン３７がブッシュ１８にねじ込まれているので、ブッシュ１８がねじ付きピン３７と相対的に回転運動すると、支え取っ手が停止位置の方へ揺動運動する際にねじ付きピン３７は図７において上方に移動する。その結果、ばねの圧縮量が減少するので、支え取っ手は上方へ揺動すればするほど、容易に揺動可能である。ばね圧縮量はいかなる場合でも、支え取っ手がすべての揺動位置で保持されるように調節されている。支え取っ手を上方揺動位置から水平使用位置に揺動させて戻すと、ブッシュ１８の回転運動によってねじ付きピン３７が再びブッシュ１８内へ移動するので、ばね圧縮量が増す。支え取っ手が垂直停止位置にあるとき、患者は支え取っ手を下方に揺動させるために大きな力を加える必要がない。患者が支え取っ手を容易に掴んで下方に揺動させることができるような揺動位置に支え取っ手が達したときに初めて、ばね力が増大する。
【００２５】
支え取っ手は２個の連結部材４４、４５（図８）によって弓形支持部材１３に固定されている。支え取っ手は例えば、図１〜６の実施の形態と同じように形成されている。支え取っ手はもちろん、他の形をしていてもよい。図７に示すように、連結部材４４は支え取っ手の脚部４と弓形揺動部材の軸受環１７内に差し込まれている。支え取っ手の脚部４はその端部にめねじ４６を有し、このめねじに連結部材４４のおねじ区間４７がねじ込まれている。軸受環１７内に位置する連結部材４４の部分は、周方向に延在する環状溝４８を有する。この環状溝は反対向きに相対している２つの円錐面４９、５０によって形成されている。軸受環１７はそれぞれ１つのねじ付きピン５３、５４を収容するための例えば２つのねじ穴５１、５２を有する。ねじ付きピンはその円錐状端部が環状溝４８の円錐面４９に接触し、他の円錐面５０から離れている。連結部材４４はねじ付きピン５３、５４によって軸受環１７内に引っ張られる。これにより、支え取っ手の脚部４は軸受環１７にしっかりと押し付けられる。
【００２６】
連結部材４５はねじ８３によって弓形揺動部材１３の下端１４に固定されている。ねじ８３は端部１４を貫通し、弓形揺動部材１３の他の側で緩衝材８２を保持している。連結部材４５は互いに反対向きに相対している２つの円錐面を有する環状溝８４を備えている。連結部材４５は脚部６内に設けられている。この脚部はねじ付きピン８５のための（図示していない）ねじ穴を有する。このねじ付きピンはねじ付きピン５４（図７）のように、一方の円錐面に接触し、それによって脚部６は弓形揺動部材１３に締付け固定されている。
【００２７】
支え取っ手装置のそれぞれの支え取っ手を壁等に容易に取付けできるようにするために、先ず最初に壁に取付けられるアダプタプレートを使用すると有利である。それによって例えば、まだ内装や外装をしていないときに、先ず最初にアダプタプレートを壁に取付け、その後壁またはそれぞれの部屋を仕上げることができる。その後、支え取っ手が固定板２によって、取付け済みのアダプタプレートに固定される。次に、アダプタプレートと、それに関連する固定板の若干の実施の形態について説明する。
【００２８】
図９に示したアダプラプレート５５は、その上側エッジの近くに、アダプタプレートの幅にわたって延在する段部５６を備えている。支え取っ手の固定板２は相応する段部５７を備えている。アダプタプレート５５の段部５６の上方範囲の厚さはその他の範囲よりも薄くなっているが、固定板２の段部５７の上方範囲の厚さはその他の範囲よりも厚くなっている。両段部５６、５７によって固定板２は予め取付けたアダプタプレート５５上の正確な位置にきわめて簡単に装着および固定可能である。そのために、アダプタプレート５５はねじ穴８６を有する。このねじ穴には固定板２を貫通するねじがねじ込まれる。このねじは支え取っ手の使用位置で支え取っ手の緩衝材８２によって覆われる。アダプタプレート５５と固定板２は同じ輪郭を有する。
【００２９】
図１０のアダプタプレート５８は周方向に延び隆起したエッジ５９を有する。エッジ５９によって取り囲まれた範囲内に、支え取っ手の固定板２が挿入される。エッジ５９の高さは固定板２の厚さに一致する。固定板は組立状態でエッジ５９から突出しない。アダプタプレート５８と固定板２は、それらを互いに連結するねじ等のための貫通穴６０、６１を有する。アダプタプレート５８はそれを壁に固定するねじのための他の穴６２を有する。
【００３０】
図１１、１２のアダプタプレート６３はそれを壁に取付けるねじ等のための穴６４を有する。アダプタプレート６３は更に、キー穴状の貫通穴６５を有する。この貫通穴には差込み要素６６が係合する。この差込み要素は支え取っ手とは反対の固定板２の側に設けられている。差込み要素６６は拡径した端部を有し、この端部は公知のごとく、アダプタプレート６３のキー穴状貫通穴６５の幅広区間に差し込まれる。続いて、固定板２が下げられるので、差込み要素６６の細い部分がアダプタプレート６３のキー穴状貫通穴６５の狭い部分に達する。続いて、固定板２の角範囲の穴６７にねじ等が差し込まれる。このねじはキー穴状の貫通穴６５の幅広範囲を通過する。これにより差込み要素６６が不意に外れることがない。アダプタプレート６３と固定板２は同じ輪郭を有する。
【００３１】
図１３の実施の形態の場合、アダプタプレート６８はその上側エッジの近くに、段部６９を有する。この段部は図９の実施の形態と異なり、直角ではなく鋭角に延在している。従って、固定板２は同様に鋭角に延在する段部７０を有する。固定板２は壁に取付けられたアダプタプレート６８に上側から嵌められて、鋭角段部７０がアダプタプレート６８の鋭角段部６９に係合される。このようにして得られた形状かみ合い連結は、あり継手のように行われる。続いて、固定板２がアダプタプレート６８にねじ止めされる。段部６９、７０の燕尾のような形成は、壁に取付けられたアダプタプレート６８に対する、固定プレート２のきわめて簡単で正確な方向づけを可能にする。
【００３２】
図１４に示した実施の形態の場合には、アダプタプレート７１と固定板２が同じ輪郭を有し、固定板２をアダプタプレート７１に連結できるようにするために、ねじ等を通過させるための穴７２、７３を有する。アダプタプレート７１と固定板２は平面で合わさっている。
【００３３】
図１５は薄板片として形成されたアダプタプレート７４を示している。このアダプタプレートの上側と下側のエッジ７５、７６はそれぞれ鈍角に曲げられている。両エッジ７５、７６は同じ幅および同じ角度だけ反対向きに互いに斜めに曲げられている。支え取っ手の固定板２は凹部７７を有する。この凹部は上側エッジに、斜めに設けられた側壁７８を有し、この側壁の傾斜角はアダプタプレート７４の上側エッジ７５の傾斜角に一致している。下側の側壁７９は凹部７７の底８０に対して垂直に延在している。側壁７９内には、（図示していない）ねじ穴が設けられ、このねじ穴にはねじ付きピン８１がねじ込まれる。ねじ付きピンは凹部７７内に達し、その円錐状端部がアダプタプレート７４の下側エッジ７６に接触するまで、凹部内にねじ込まれる。
【００３４】
固定板２をアダプタプレート７４に簡単に嵌めることができるようにするために、ねじ付きピン８１は先ず最初に、側壁７９から突出しないようにねじ込みとは反対向きに回転させられる。それによって、予め取付けられたアダプタプレート７４に対して固定板２を前方から嵌め、そして下げて、凹部７７の側壁７８をアダプタプレート７４の上側エッジ７５に接触させることができる。続いて、ねじ付きピン８１の円錐状端部がアダプタプレート７４の下側エッジ７６に接触するまで、ねじ付きピンを凹部７７内にねじ込む。これにより、固定板２はアダプタプレート７４に締付け固定される。
【００３５】
アダプタプレート７４または固定板２の幅に応じて、凹部７７の下側側壁７９内に他のねじ付きピンを設けることができる。
【図面の簡単な説明】
【００３６】
【図１】本発明による取っ手装置の支え取っ手の平面図である。
【図２】図１の支え取っ手の側面図である。
【図３】図１の支え取っ手の正面図である。
【図４】図１の支え取っ手の使用位置と上方へ揺動した停止位置を示す図である。
【図５】便器の隣で壁に取付けられた、図１の２個の支え取っ手の正面図である。
【図６】図５の配置構造の平面図である。
【図７】本発明による取っ手装置の支え取っ手の揺動支承部の断面図である。
【図８】図７の揺動支承部を備えた支え取っ手の分解図である。
【図９】本発明による取っ手装置の他の実施の形態を示す図である。
【図１０】本発明による取っ手装置の他の実施の形態の、図９と同様な図である。
【図１１】本発明による取っ手装置の他の実施の形態の、図９と同様な図である。
【図１２】図１１の取っ手装置の側面図である。
【図１３】本発明による取っ手装置の他の実施の形態を示す図である。
【図１４】本発明による取っ手装置の他の実施の形態を示す図である。
【図１５】本発明による取っ手装置の他の実施の形態の、アダプタプレートに装着された固定板の断面図である。
【符号の説明】
【００３７】
１  自在軸受
２  固定部材（固定板）
４、６  取っ手部分
５  湾曲部分
１８  スリーブ
３２  押圧リング
３４  ばね要素
３５、３７  締付け要素（ナット、ねじ付きピン）
４０  突起
４１  凹部
５５、５８、６３、６８、７１、７４  アダプタプレート
５６、６９  位置決め接合部
５７、７０  位置決め接合部
５９  エッジ
６５  キー穴状の穴
６６  差込み要素
７５、７６  エッジ
７７  凹部
７８  側壁
７９  側壁
８０  底
８１  ねじ付きピン
α、β  角度
【図１】
2008212687.tif 000003
【図２】
2008212687.tif 000004
【図３】
2008212687.tif 000005
【図４】
2008212687.tif 000006
【図５】
2008212687.tif 000007
【図６】
2008212687.tif 000008
【図７】
2008212687.tif 000009
【図８】
2008212687.tif 000010
【図９】
2008212687.tif 000011
【図１０】
2008212687.tif 000012
【図１１】
2008212687.tif 000013
【図１２】
2008212687.tif 000014
【図１３】
2008212687.tif 000015
【図１４】
2008212687.tif 000016
【図１５】
2008212687.tif 000017